(57)【要約】      （修正有）【課題】カバー本体を収納袋に入れ保管する際に、盗難防止を図ることができるカバーを提供する。【解決手段】本発明は、収納袋１２をカバー本体１７の前面もしくは後面の内側に備え付ける事により前後の識別を容易にし、カバー本体の内側に収納部１６を設けカバー１使用時には収納袋を収納部に収める事を特徴とする。収納部と収納袋を汚れが付着しにくいビニール生地などで構成し、それらをカバー装着時にタイヤと接触する部分へ設ける事により、カバー本体内側の汚れを防止する。また、カバー本体と収納袋にホールを設けそれを一体とする事により、カバー使用時はもとより収納時にも盗難防止用チェーンを使用出来る事を特徴とする。【選択図】図３
2020100385.tif 000002
【特許請求の範囲】
【請求項１】
カバー本体と、カバー本体に取り付けられた収納袋と、を備え、カバー本体及び収納袋へ通し穴を設け、それを一体とする事によりカバー使用時・カバー収納時に盗難防止用チェーンの使用を可能にした事を特徴とするカバー。
【請求項２】
収納袋を収める筒状や袋状の収納部をカバー内側に設けた事を特徴とする請求項１に記載のカバー。
【請求項３】
収納袋をカバーの前面もしくは後面の内側に設け、カバーの前後の識別を容易にした事を特徴とする請求項１又は２に記載のカバー。
【請求項４】
収納袋と収納部をカバー使用時にタイヤの当たる部分に設け、タイヤによるカバーへの汚れを防ぐ事を特徴とする請求項１から３のいずれかに記載のカバー。
【請求項５】
収納部へ収納袋を収めた際、収納袋の開口部がカバー内側へなるようカバー縁部と収納袋縁部を縫製などにより合わせ着けた事を特徴とする請求項１から４のいずれかに記載のカバー
【発明の詳細な説明】
【技術分野】
【０００１】  本発明は、自動車・二輪車の車体カバーに関するものである。
【背景技術】
【０００２】一般的に知られる車体カバーは防水性生地で出来ており、カバーと収納袋は個別である。
【発明の概要】
【発明が解決しようとする課題】
【０００３】カバー本体を使用する際には収納袋の保管場所が必要である。
従来の、カバー本体と収納袋が一体の物はカバーの出し入れの際に手間が多く、また、カバーを出して車体に装着する際にカバーの前後を識別する事が困難であった。
カバー内側が起毛素材など汚れやすい生地の場合、タイヤに泥などが付着した状態の車両にカバーを装着すると、カバー内側に汚れが移り、カバーを外す際に車体塗装部に傷を付ける問題があった。
カバー本体を収納袋に入れ保管する際、盗難される問題があった
【課題を解決するための手段】
【０００４】  本願発明は上記したような観点に着目した物であり、以下のように構成されている。
カバー本体と収納袋へ通し穴を設け、それを一体とする事によりカバー使用時・カバー収納時に盗難防止用チェーンの使用を可能にした事を特徴とするカバー。
また、本願発明のカバーは、収納袋を収める筒状や袋状の収納部をカバー本体内側に設けてもよい。
また、本願発明のカバーは、収納袋をカバー本体の前面もしくは後面の内側に設け、カバーの前後の識別を容易にしてもよい。
また、本願発明のカバーは、収納袋と収納部をカバー使用時にタイヤの当たる部分に設け、タイヤによるカバー本体内側への汚れを防いでもよい。
また、本願発明のカバーは、収納部へ収納袋を収めた際、収納袋の開口部がカバー本体内側へなるようカバー縁部と収納袋縁部を縫製などにより合わせ着けてもよい。
これにより、収納袋をカバー本体の前面もしくは後面の内側に備え付ける事により前後の識別を容易にし、カバー本体の内側に収納部を設けカバー使用時には収納袋を収納部に収める事が可能となる。また、収納部と収納袋を汚れが付着しにくいビニール生地などで構成し、それらをカバー装着時にタイヤと接触する部分へ設ける事により、カバー本体内側の汚れを防止出来る。また、カバー本体と収納袋にホールを設けそれを一体とする事により、カバー使用時はもとより収納時にも盗難防止用チェーンを通すことが可能となる。
【発明の効果】
【０００５】  本願発明により以下の効果を奏する。収納袋と収納部によりタイヤによるカバー内側の汚れを防止出来、カバー本体と収納袋にチェーン通し穴を設ける事によりカバー使用時とカバー保管時に盗難防止用チェーンによる盗難防止対策を提供出来る。さらに、収納袋と収納部をカバー本体の前面もしくは後面に備え付ける事によりカバーの前後の識別を容易にし、収納袋の紛失を無くす事を提供出来る。
【図面の簡単な説明】
【０００６】
【図１】  図１は収納袋を示した図である。
【図２】  図２はカバーと、カバー本体内側に収納部を取り付けた状態を示した図である。
【図３】  図３はカバー本体に収納袋を取り付け、収納部へ収めた状態を示した図である。
【図４】  図４はカバー本体収納方法の実施例を示した図である。
【図５】  図５は収納後に収納袋へ盗難防止用チェーンを使用した実施例を示した図である。
【発明を実施するための形態】
【０００７】  以下に本願発明について図面に基づき説明する。
本実施形態に係るカバー１は、図３に示すように、カバー本体１７と、カバー本体１７に取り付けられた収納袋１２と、を備える。
図１に示すように、袋状に成形した収納袋１２の適宜な場所へ図２に示すチェーン通し穴１５ａ及びｂと同一程度のチェーン通し穴１１ａ及びｂを設け、開口部となる縁部を筒状に縫製し通し紐１４を通した収納袋である。
【０００８】図２に示すように、カバー本体１７内側の前面もしくは後面にチェーン通し穴１５ａ及びｂを設け、生地の両端を縫製し筒状とした収納部を成形した。
【０００９】図３に示すように、収納袋縁部１０ｂがカバー１７の内側になるように収納袋１２を配置し、チェーン通し穴１１ａ部．とチェーン通し穴１５ａ部を、チェーン通し穴１１ｂ部とチェーン通し穴１５ｂ部を縫製し、収納袋縁部１０ａをカバー本体１７の適した位置に縫製した。
【００１０】図３に示すように、収納袋底部１３を収納部１６へ差し入れる事によりカバー使用時に収納袋１２がカバー本体１７よりはみ出る事を抑える。
【００１１】図４に示すように、収納袋１２を収納部１６から引き出し垂れ下げた状態にした時に出来る収納袋開口部へ、カバー本体１７を収納する。
【００１２】図４・５に示すように、通し紐１４を引く事により収納袋１２の開口部を閉める。
【００１３】図５に示すように、チェーン通し穴１１ａ及び１５ａとチェーン通し穴１１ｂ及び１５ｂへ盗難防止チェーン１８を通し、ポールなどと共に施錠する事により収納袋１２とカバー本体１７の盗難を防止する。
【００１４】本実施例のチェーン通し穴１１ａ及びｂ・チェーン通し穴１５ａ及びｂ・収納部１６は、本発明の技術的思想を逸脱しない範囲で種類の形状を採用可能である。チェーン通し穴１１ａ及びｂ・チェーン通し穴１５ａ及びｂは丸形以外の形状でも良い。
【００１５】収納部１６は、袋形状など収納袋１６が収まる形状であれば良い。
【００１６】縫製部は、接着剤やマジックテープなどで付け合わせても良い。
【符号の説明】
【００１７】１  カバー
１０ａ  収納袋縁部
１０ｂ  収納袋縁部
１１ａ  チェーン通し穴
１１ｂ  チェーン通し穴
１２  収納袋
１３  収納袋底面
１４  通し紐
１５ａ  チェーン通し穴
１５ｂ  チェーン通し穴
１６  収納部
１７  カバー本体
１８  盗難防止用チェーン
【図１】
2020100385.tif 000003
【図２】
2020100385.tif 000004
【図３】
2020100385.tif 000005
【図４】
2020100385.tif 000006
【図５】
2020100385.tif 000007